(57)【要約】【課題】シートを処理する機械、特に印刷機にシートを搬送するための装置であって、給紙台と、該給紙台にわたって無端式に循環運動する少なくとも１つの吸込ベルトとが設けられており、該吸込ベルトが、シート搬送方向でみて相前後して配置された、それぞれ異なる圧力レベルを有する複数の吸込領域によって負荷されるようになっており、これらの吸込領域の圧力レベルが、単個の負圧源によって形成されるようになっている形式のものを改良して、中位の吸込領域におけるシートにかかる保持力を、別の吸込領域の保持力に対して低減させる単個の吸込源が設けられているようなものを提供する。【解決手段】搬送ベルト２９の貫通開口４１が、吸込開口４２；４３にも通気開口４６にも対応して設けられている。【選択図】図３
2004256303.tif 000002
【特許請求の範囲】
【請求項１】
シートを処理する機械、たとえば印刷機にシートを搬送するための装置であって、給紙台と、該給紙台にわたって無端式に循環運動する少なくとも１つの吸込ベルトとが設けられており、該吸込ベルトが、シート搬送方向でみて相前後して配置された、それぞれ異なる圧力レベルを有する複数の吸込領域によって負荷されるようになっており、これらの吸込領域の圧力レベルが、単個の負圧源によって形成されるようになっている形式のものにおいて、
搬送ベルト（２９）の貫通開口（４１）が、吸込開口（４２；４３；５８）にも通気開口（４６）にも対応して設けられていることを特徴とする、請求項１記載のシート搬送装置。
【請求項２】
吸込開口（４２；４３；５８）および通気開口（４６）が、前記吸込領域の中位の吸込領域（ＩＩ）に配置されている、請求項１記載の装置。
【請求項３】
給紙台（９）の吸込開口（４２；４３）が、吸込ベルト（２９）の縁部領域に互いに平行に配置された複数の吸込ボックス（３２；３３）からの吸込空気によって負荷可能である、請求項１または２記載の装置。
【請求項４】
給紙台（９）の吸込開口（５８）が、Ｖ字形の配置構造で相前後して配置された複数の吸込ボックス（５１，５２，５３，５４，５５）からの吸込空気によって負荷可能である、請求項１または２記載の装置。
【請求項５】
給紙台（９）の通気開口（４６）が、前記複数の吸込ボックス（３２，３３；５１，５２，５３，５４，５５）の間に配置されている、請求項３または４記載の装置。
【請求項６】
搬送方向でみて下流側の吸込領域（ＩＩＩ）の吸込ボックス（３４）が、回転弁（３９）によって共通の負圧源（３６）と接続されている、請求項１から５までのいずれか１項記載の装置。
【発明の詳細な説明】
【技術分野】
【０００１】
本発明は、シートを処理する機械、特に印刷機にシートを搬送するための装置であって、給紙台と、該給紙台にわたって無端式に循環運動する少なくとも１つの吸込ベルトとが設けられており、該吸込ベルトが、シート搬送方向でみて相前後して配置された、それぞれ異なる圧力レベルを有する複数の吸込領域によって負荷されるようになっており、これらの吸込領域の圧力レベルが、単個の負圧源によって形成されるようになっている形式のものに関する。
【背景技術】
【０００２】
このような搬送装置は、給紙装置の吸込ベルト給紙台における負圧を適合させるための装置に関するものであり、ここでは搬送面の下方に配置された少なくとも１つの吸込ボックスが設けられており、この吸込ボックスが、シート搬送方向でみて複数の室に分けられており、これらの室がまとめて負圧で負荷できるようになっている。
【０００３】
枚葉紙輪転印刷機の給紙装置の給紙台にうろこ状に重ね合わされる一連のシートの搬送は、３つの段階に分けられる。
【０００４】
第１の段階の特徴によれば、シートがスタックから引き出され、ここでは完全な重ね合わせ長さではベルトに載設されない。
【０００５】
第２の段階の特徴によれば、シートがうろこ状に下重ねして搬送され、ここでは完全な重ね合わせ長さでベルトに載設される。
【０００６】
第３段階の特徴によれば、シートが前当てに搬送され（シート前縁はもはやベルトに載設していない）、後続のシートから離される。
【０００７】
第１段階および第３段階は、第２段階よりも高い吸込力を必要としている。というのはつまり第１段階および第３段階におけるシートの載設面積が、第２段階におけるシートの載設面積よりも小さくなっているからである。
【０００８】
それぞれ異なる運転条件を適合させるために、一連のシートの下方でそれぞれ異なる負圧レベルを提供する必要がある。このことはそれぞれ異なる負圧レベルの複数の吸込源を使用することによって達成され、またはドイツ連邦共和国特許第４４１６２８６号明細書における従来技術から公知のように、中位の搬送領域の吸込室を周辺空気と接続する切換弁によって達成される。
【特許文献１】ドイツ連邦共和国特許第４４１６２８６号明細書
【発明の開示】
【発明が解決しようとする課題】
【０００９】
したがって本発明の課題は、冒頭で述べたような形式のシート搬送装置を改良して、中位の吸込領域におけるシートにかかる保持力を、別の吸込領域の保持力に対して低減させる単個の吸込源が設けられているようなものを提供することである。
【課題を解決するための手段】
【００１０】
この課題を解決するための本発明の装置によれば、搬送ベルトの貫通開口が、吸込開口にも通気開口にも対応している。
【発明の効果】
【００１１】
本発明のように構成されていると、中位の領域が比較的小さな負圧で運転されるという利点が得られる。これによってシートの間の空気の吸出が低減され、ひいてはシートの間の相互的な保持力が低減される。単個の送風機しか使用しないが、吸込面積を減少させることによって、簡単な構成手段で中位の領域の負圧が低減される。
【００１２】
有利な実施形態によれば、吸込ベルトに設けられた特定数の開口が負圧で負荷され、これに対して残りの開口は周囲圧で負荷される。このような構成手段によって、吸込空気で負荷される開口の領域でしか保持力がシートに及ぼされない。
【００１３】
搬送ベルトにおいて２列の吸込開口の間に通気開口を配置したことによって、全ての吸込領域における負圧形成を防止することができる。
【００１４】
別の実施形態によれば、中位の吸込領域における複数の吸込ボックスが、搬送方向でみてＶ字形状の配置構造で相互間隔を有して配置されている。このような構成手段によって搬送ベルトの開口は、吸込シートもしくは給紙台の通気口と交互に作用接続される。この場合Ｖ字形の配置構造は、搬送方向に対して横向きの搬送ベルトの張設または延伸を助成し、かつセンタリング手段を形成する。
【発明を実施するための最良の形態】
【００１５】
次に本発明の実施の形態を、図示の実施例を用いて詳しく説明する。
【００１６】
輪転印刷機、たとえばシート７を処理する印刷機１は、給紙装置２と少なくとも１つの印刷装置３；４と排紙装置６とを備えている。シート７はシートスタック（パイル）８から取り出されて、個別化されるかまたはうろこ状に上下に重ね合わされて給紙台９を介して印刷装置３；４に供給される。印刷装置３；４は公知の形式でそれぞれ１つの版胴１１；１２を備えている。版胴１１；１２はフレキシブルな版板を固定するためのそれぞれ１つの装置１３；１４を備えている。さらに各版胴１１；１２には、全自動または半自動式に版板を交換するための装置１６；１７が対応配置されている。
【００１７】
シートスタック８は、昇降制御可能なスタックプレート１０に載設されている。シート７の取り出しは、シートスタック８の上面からいわゆる吸込ヘッド１８によって行われ、この吸込ヘッド１８はとりわけシート７を個別化するための幾つかの昇降サッカおよび送りサッカ１９；２１を備えている。さらに上位のシート層をほぐすための送風機２２と、スタック後ガイドのための接触エレメント２３とが設けられている。シートスタック８、特にシートスタック８の上位のシート７を方向調整するために、幾つかの側方および後方のストッパ２４が設けられている。
【００１８】
給紙台９の前方領域に到達するシートは、前当て（フロントゲージ）２６によってシート搬送方向で方向調整され、かつ側方の方向調整手段２７によってシート搬送方向に対して横向きで方向調整される。給紙台９はいわゆる吸込ベルト台として形成されている。この吸込ベルト台は、主にシート搬送方向でみて３つの吸込領域Ｉ，ＩＩ，ＩＩＩを備えている。搬送方向でみて最も上流側の第１の吸込領域Ｉは、高い負圧レベルを特徴としており、これによってシートを確実に個別化装置から引き受けることができる。第１の吸込領域Ｉの吸込空気は吸込ボックス３１によって形成され、この吸込ボックス３１は搬送面の下方に配置されている。
【００１９】
第２または中位の吸込領域ＩＩは、僅かな保持力しかシートに及ぼさない低い負圧レベルを特徴としており、この低い負圧レベルでもシートは十分確実に吸込ベルトとしての搬送ベルト２９に保持することができる。第２または中位の吸込領域ＩＩの吸込空気は２つの吸込ボックス３２，３３によって形成され、これらの吸込ボックス３２，３３はシート搬送方向に対して横方向で互いに平行に相互間隔を有して配置されていて、しかも有利には搬送ベルト２９の縁部領域に配置されている。
【００２０】
最も下流側の第３の吸込領域ＩＩＩは、タイミング制御された負圧レベルを特徴としている。この第３の吸込領域ＩＩＩの吸込空気は、吸込ボックス３４によって形成され、この吸込ボックス３４は搬送面の下方に配置されている。全ての吸込ボックス３１，３２，３３，３４は共通の１つの吸込源３６と接続されている。
【００２１】
開口４１を備えた搬送ベルト２９は、駆動ローラ３７によって駆動され、かつ変向ローラ３８の周りで変向される。搬送ベルト２９のための緊張装置は図示していない。
【００２２】
吸込ボックス３４に向かう接続管路に、シートを印刷する機械の作業サイクルで吸込空気をタイミング制御するための装置、たとえば回転弁３９が接続されており、この回転弁３９は、追加的に吸込ボックス３４の負圧を適合させるために周囲圧に向かうバイパスを備えて形成されている。
【００２３】
搬送ベルト２９は多数の貫通開口４１を備えており、第１の吸込領域Ｉにおける貫通開口４１は給紙台９の吸込開口４２によって吸込ボックス３１と接続されている。第２の吸込領域ＩＩでは、搬送ベルト２９の縁部領域における貫通開口４１は給紙台９の吸込開口４２，４３によって吸込ボックス３２，３３と接続されており、これらの吸込ボックス３２，３３の間に位置する中央領域の貫通開口４１は給紙台９の通気開口４６によって周辺空気と接続されている。第３の吸込領域ＩＩＩでは、貫通開口４１は、給紙台９の吸込開口４４によって吸込ボックス３４と接続されている。
【００２４】
図５の別の実施例では、中位の吸込領域ＩＩに配置された吸込ボックス５１〜５５がＶ字形の配置構造を有しており、この場合Ｖ字構造の尖端はシート搬送方向とは逆向きに向いている。このような構成手段によって、横方向の搬送ベルト２９の張設が得られ、追加的に搬送ベルト２９のセンタリングが得られる。
【００２５】
吸込ボックス５１〜５５は、それぞれ共通の吸込源３６と接続されていて、かつ互いに一定間隔を有して配置されている。この場合吸込ボックス３１は、Ｖ字形状に適合して成形された吸込ボックス付加部５６；５７を備えていてもよい。
【００２６】
給紙台９には、吸込ボックス５１〜５５の領域で、吸込ボックスに応じてＶ字形に配置された吸込開口５８が設けられており、これらの吸込開口５８は搬送ベルト２９における貫通開口４１に対応している。吸込ボックス５１〜５７の吸込開口５８の間に、給紙台９における通気開口５９が設けられている。このような構成手段によって、搬送時に同じ貫通開口４１が交互に吸込空気かまたは周辺空気で負荷され、シートまたは一連のシートにかかる保持力が第１の吸込領域Ｉに対して低減される。
【図面の簡単な説明】
【００２７】
【図１】シートを処理する印刷機を概略的に示す断面図である。
【００２８】
【図２】給紙装置におけるシートの給紙台を概略的に示す断面図である。
【００２９】
【図３】給紙台の１実施例を概略的に示す平面図である。
【００３０】
【図４】図２の給紙台の横断面図である。
【００３１】
【図５】給紙台の別の１実施例を概略的に示す平面図である。
【符号の説明】
【００３２】
１  印刷機、  ２  給紙装置、  ３，４  印刷装置、  ６  排紙装置、  ７  シート、  ８  シートスタック、  ９  給紙台、  １０  スタックプレート、  １１，１２  版胴、  １３，１４  版板固定装置、  １６，１７  版板交換装置、  １８  吸込ヘッド、  １９  昇降サッカ、  ２１  送りサッカ、  ２２  送風機、  ２３  接触エレメント、  ２４  ストッパ、  ２６  前当て、  ２７  側方の方向調整手段、  ２９  搬送ベルト、  ３１，３２，３３，３４  吸込ボックス、  ３６  吸込源、  ３７  駆動ローラ、  ３８  変向ローラ、  ３９  回転弁、  ４１  貫通開口、  ４２，４３，４４  吸込開口、  ４６  通気開口、  ５１，５２，５３，５４，５５  吸込ボックス、  ５６，５７  吸込ボックス付加部、  ５８  吸込開口、  ５９  通気開口、  Ｉ  第１の吸込領域、  ＩＩ  第２の吸込領域、  ＩＩＩ  第３の吸込領域
【図１】
2004256303.tif 000003
【図２】
2004256303.tif 000004
【図３】
2004256303.tif 000005
【図４】
2004256303.tif 000006
【図５】
2004256303.tif 000007